(57)【要約】【課題】チャンネル基端口金と処置具挿入口金とを汚液等の溜まり場を最小限に抑制した状態に接続することができ、しかもＯリングが所定の装着位置に確実に取り付けられてシール漏れが発生しない内視鏡のチャンネル基端接続部を提供すること。【解決手段】チャンネル基端口金７と処置具挿入口金３との接続部において、両口金７，３を同軸線上に配置して両口金７，３の端面どうしを当接させ、両口金７，３の当接端面の外縁部分を各々面取り状の斜面７ａ，３ａに形成して両口金７，３の斜面７ａ，３ａにより断面形状が略Ｖ字状の円周溝１５を形成し、弾力性のある材料からなるＯリング１３を、円周溝１５を囲んで配置された他の部材１０の内周面と円周溝１５を形成する両斜面７ａ，３ａとにより全周にわたって押し潰した状態に配置した。【選択図】      図１
2004248770.tif 000002
【特許請求の範囲】
【請求項１】
処置具挿通チャンネルの基端に取り付けられた筒状のチャンネル基端口金と操作部に取り付けられた筒状の処置具挿入口金との接続部において、上記両口金を同軸線上に配置して上記両口金の端面どうしを当接させ、上記両口金の当接端面の外縁部分を各々面取り状の斜面に形成して上記両口金の斜面により断面形状が略Ｖ字状の円周溝を形成し、弾力性のある材料からなるＯリングを、上記円周溝を囲んで配置された他の部材の内周面と上記円周溝を形成する両斜面とにより全周にわたって押し潰した状態に配置したことを特徴とする内視鏡のチャンネル基端接続部。
【発明の詳細な説明】
【０００１】
【発明の属する技術分野】
この発明は、内視鏡の処置具挿通チャンネルの基端と処置具挿入口金との接続部である内視鏡のチャンネル基端接続部に関する。
【０００２】
【従来の技術】
内視鏡には一般に、処置具を案内するために可撓性チューブからなる処置具挿通チャンネルが挿通配置されており、その処置具挿通チャンネル内に処置具を差し込むための処置具挿入口金が操作部に配置されている。
【０００３】
そして、そのような処置具挿通チャンネルと処置具挿入口金とを接続する部分は、処置具挿通チャンネルの基端に取り付けられた筒状のチャンネル基端口金と操作部に取り付けられた筒状の処置具挿入口金とを嵌合させ（即ち、一方を他方内に差し込み）、その嵌合面にＯリング等を配置してシールをしていた（例えば、特許文献１）。
【０００４】
【特許文献１】
特開昭６３−９２３２６号公報、第２図
【０００５】
【発明が解決しようとする課題】
しかし、上述のようにチャンネル基端口金と処置具挿入口金とを嵌合させてその嵌合面にＯリング等を配置する構造をとると、Ｏリング等が配置されている部分までは嵌合面に体内汚液等が溜まって不潔になる恐れがある。
【０００６】
そこで、図４に示されるように、処置具挿通チャンネル９０の基端に取り付けられたチャンネル基端口金９１と処置具挿入口金９２とを同軸線上に配置して、両口金９１，９２の端面どうしを当接させることが考えられる。
【０００７】
しかし、図４に示されるように、両口金９１，９２に各々シール用のＯリング９３，９４を取り付けることになると、当接部から各Ｏリング９３，９４までの範囲に汚液等が溜まって不潔になる恐れがある。
【０００８】
また、図４に示されるような構造では、弾力性のあるＯリング９３，９４が組み立て時に所定の装着位置から外れてその周辺の部材等の隙間に食いついてしまう場合があり、そのようになるとシール機能を発揮しなくなってしまう。
【０００９】
そこで本発明は、チャンネル基端口金と処置具挿入口金とを汚液等の溜まり場を最小限に抑制した状態に接続することができ、しかもＯリングが所定の装着位置に確実に取り付けられてシール漏れが発生しない内視鏡のチャンネル基端接続部を提供することを目的とする。
【００１０】
【課題を解決するための手段】
上記の目的を達成するため、本発明の内視鏡のチャンネル基端接続部は、処置具挿通チャンネルの基端に取り付けられた筒状のチャンネル基端口金と操作部に取り付けられた筒状の処置具挿入口金との接続部において、両口金を同軸線上に配置して両口金の端面どうしを当接させ、両口金の当接端面の外縁部分を各々面取り状の斜面に形成して両口金の斜面により断面形状が略Ｖ字状の円周溝を形成し、弾力性のある材料からなるＯリングを、円周溝を囲んで配置された他の部材の内周面と円周溝を形成する両斜面とにより全周にわたって押し潰した状態に配置したものである。
【００１１】
【発明の実施の形態】
図面を参照して本発明の実施例を説明する。
図２は内視鏡を示しており、可撓性の挿入部１内には例えば四フッ化エチレン樹脂チューブ等の可撓性チューブからなる処置具挿通チャンネル２が全長にわたって挿通配置されている。
【００１２】
そして、処置具挿通チャンネル２の入口である処置具挿入口金３は、例えばステンレス鋼によって段部のある筒状に形成されて、挿入部１の基端に連結された操作部４の下端部分に斜め上方に向けて突出配置されている。５は、処置具挿入口金３に取り付けられたシール機能を有するゴム製の鉗子栓である。
【００１３】
図３は、処置具挿入口金３が配置された操作部４の下端部分を示しており、処置具挿通チャンネル２の基端には、例えばステンレス鋼材からなる筒状のチャンネル基端口金７が連結・固着されている。チャンネル基端口金７の先端付近の外周面には雄ネジが形成されている。８は、連結・固着部分を外側から補強する補強パイプである。
【００１４】
チャンネル基端口金７は、操作部４に斜めに形成された口金取り付け孔９内に内側から差し込まれていて、その口金取り付け孔９に外側から差し込まれている筒状の中間押えナット１０に形成された雌ネジ部と螺合している。１１は、中間押えナット１０の外周面と口金取り付け孔９の内周面との間をシールするＯリングである。
【００１５】
そして、中間押えナット１０の外面に形成された段差が口金取り付け孔９の段部９ａに当接しており、それによって、チャンネル基端口金７が口金取り付け孔９内から操作部４内に抜け出さない状態になっている。
【００１６】
また、口金取り付け孔９の外端開口部内面に形成された雌ネジ部と螺合する押えナット１２が、中間押えナット１０を外方から口金取り付け孔９内に向けて押圧固定しており、それによって、チャンネル基端口金７と中間押えナット１０が口金取り付け孔９内から外方に移動しない状態に固定されている。
【００１７】
処置具挿入口金３は、そのように配置された中間押えナット１０内に差し込まれた状態に取り付けられていて、処置具挿入口金３の中間部分の外周面に形成された雄ネジが中間押えナット１０に形成された雌ネジに螺合することにより、処置具挿入口金３が口金取り付け孔９内に固定された状態になっている。
【００１８】
そのような構成により、チャンネル基端口金７と処置具挿入口金３とが同軸線上に真っ直ぐに配置されて、両口金７，３の端面どうしが内周部に段差ができない状態で当接し、その当接部の外周部に弾力性のあるゴム材等からなるシール用のＯリング１３が配置されている。
【００１９】
図１は、そのようなチャンネル基端口金７と処置具挿入口金３との当接部付近を拡大して示しており、チャンネル基端口金７と処置具挿入口金３との当接端面の外縁部分においては、チャンネル基端口金７と処置具挿入口金３とに各々面取り状の斜面７ａ，３ａが形成されていて、両口金７，３の斜面７ａ，３ａにより断面形状が略Ｖ字状の円周溝１５が形成されている。
【００２０】
そして、その円周溝１５を全周にわたって囲む位置にある中間押えナット１０の内周面と円周溝１５を構成する両口金７，３の斜面７ａ，３ａとによって、Ｏリング１３が全周にわたって押し潰された状態に配置されている。
【００２１】
その結果、処置具挿通チャンネル２内を通る体内汚液等は、チャンネル基端口金７と処置具挿入口金３との接続部においては両口金７，３の当接端面以外には付着する可能性がないので、汚液等の溜まり場を最小限に抑制することができる。
【００２２】
また、組み立て時に、まずチャンネル基端口金７と中間押えナット１０との間にＯリング１３を嵌め込む際、及びその後に処置具挿入口金３を差し込んでＯリング１３を押し潰す際等には、Ｏリング１３に対してオープン方向に傾いているチャンネル基端口金７の斜面７ａと処置具挿入口金３の斜面３ａが各々Ｏリング１３に当接するので、Ｏリング１３が周辺の隙間等に食いつく状態になり難く、Ｏリング１３によるシールを確実に行うことができる。
【００２３】
【発明の効果】
本発明によれば、処置具挿通チャンネル内を通る体内汚液等がチャンネル基端口金と処置具挿入口金との当接端面以外に付着する可能性がないので、汚液等の溜まり場を最小限に抑制した状態で両口金を接続することができ、しかも、Ｏリングが、周辺の隙間等に食いついたりせず所定の装着位置に確実に取り付けられてシール漏れが発生しない。
【図面の簡単な説明】
【図１】本発明の実施例の部分拡大側面断面図である。
【図２】本発明の実施例の内視鏡の側面図である。
【図３】本発明の実施例の内視鏡のチャンネル基端接続部の側面断面図である。
【図４】従来の内視鏡のチャンネル基端接続部の側面断面図である。
【符号の説明】
２  処置具挿通チャンネル
３  処置具挿入口金
３ａ  斜面
７  チャンネル基端口金
７ａ  斜面
９  口金取り付け孔
１０  中間押えナット（円周溝を囲んで配置された他の部材）
１３  Ｏリング
１５  円周溝
【図１】
2004248770.tif 000003
【図２】
2004248770.tif 000004
【図３】
2004248770.tif 000005
【図４】
2004248770.tif 000006